(57)【要約】【課題】  背凭れを支持する背凭れ支持杆の枢軸、および背凭れ用の付勢手段等を、支基に簡単に、短時間で、しかも確実に組み付けることができるようにしたリクライニング椅子を提供する。【解決手段】  背凭れを起立する方向に付勢する付勢手段Ａを、背凭れと一体となって回動する枢軸８を芯材とし、それと同心として支基６に回り止めされた外筒２７と枢軸８との間に弾性体２８を充填してなるゴムトーションスプリング１１を有する回動付勢手段Ｂを備えるものとし、かつ支基６を、支基本体６ａとその下面に取り付けた下部カバー１３とからなる上下２分割構造とし、それらの間に回動付勢手段Ｂと枢軸８とそれを支承する軸受２９、２９とを収容する。【選択図】        図７
2006087617.tif 000002
【特許請求の範囲】
【請求項１】
脚によって支持され、かつ座を支持する支基に枢支した左右方向を向く枢軸に、背凭れを支持する背凭れ支持杆における前方を向く下部の前端部を固着し、前記背凭れ支持杆を、支基に設けた付勢手段により、背凭れが起立する方向に向けて付勢したリクライニング椅子において、
前記付勢手段を、前記枢軸を芯材とし、それと同心として支基に回り止めされた外筒と前記枢軸との間に弾性体を充填することにより、前記枢軸が外筒に対して中心軸線回りに回動することによって、前記弾性体が弾性変形して、前記枢軸に復帰回動力を付与するようにしたゴムトーションスプリングを有する回動付勢手段を備えるものとし、かつ前記支基を、支基本体とその下面または上面に取り付けられたカバーとからなる上下２分割構造とし、前記支基本体とカバーとの対向部に形成した凹部内に、前記回動付勢手段と、その両側方に突出する前記枢軸を支承する軸受とを収容し、前記軸受よりさらに外側方に突出する枢軸の両側部を、前記支基本体とカバーとの両側面の対向縁に設けた切欠きに挿通させたことを特徴とするリクライニング椅子。
【請求項２】
支基本体とカバーとの対向部に形成した凹部内に、回動付勢手段を遊嵌し、かつその両側方に突出する枢軸を支承する軸受を、支基本体とカバーとにより挾持した請求項１記載のリクライニング椅子。
【請求項３】
支基より外側方に突出した枢軸の両側端部に、左右１対とした背凭れ支持杆における前方を向く下部の前端部を固着した請求項１または２記載のリクライニング椅子。
【請求項４】
枢軸の中央寄りに左右１対のゴムトーションスプリングを設けるとともに、それに対応する左右１対のカバーを、それと支基本体との間に各ゴムトーションスプリングとその外側方に突出する前記枢軸を支承する軸受とを収容するようにして支基本体に取り付けた請求項１〜３のいずれかに記載のリクライニング椅子。
【請求項５】
枢軸にそれと直交する方向を向く腕部を設け、この腕部の先端部と支基とに、一端に設けた操作ノブを作動位置に移動させることにより伸縮可能となり、かつ前記操作ノブを不作動位置に復帰させることにより、伸縮不能となるようにしたガススプリングの各端部を連結した請求項１〜４のいずれかに記載のリクライニング椅子。
【請求項６】
腕部を枢軸のほぼ中央部に下方に向けて設け、その下端部に一端を連結したガススプリングを前上方に向け、かつ前記ガススプリングの他端を支基の前部中央に連結した請求項４に従属する請求項５記載のリクライニング椅子。
【発明の詳細な説明】
【技術分野】
【０００１】
本発明は、背凭れが後方に傾動するようにしたリクライニング椅子、特にその支基の部分の構造に関する。
【背景技術】
【０００２】
従来のこの種のリクライニング椅子として、本発明者は、背凭れを起立位置に向けて付勢する付勢手段として、いわゆるゴムトーションスプリングを用いたものを提供している(例えば特許文献１参照)。
この装置は、脚によって支持された支基に、左右方向を向く六角形の軸を枢支し、この軸の両端部に、背凭れを支持する左右１対の背凭れ支持杆の前下端部を固着し、背凭れを起立位置に向けて付勢する付勢手段を、上記軸が貫通する六角孔が中央に穿設された芯材と、その芯材と同心をなすようにして支基に配設された外筒と、上記芯材と外筒との間に充填され、かつ芯材が軸とともに外筒に対して中心軸線回りに回動することにより、弾性変形して、枢軸に復帰回動力を付与するようにした弾性体とを有する複数の単位付勢手段からなるものとしてある。
【特許文献１】特開２００４−４９７１７号公報
【発明の開示】
【発明が解決しようとする課題】
【０００３】
しかし、上述のような従来のリクライニング椅子では、支基にゴムトーションスプリングからなる複数の単位付勢手段を収容した後、支基の側方から六角形の軸を、各ゴムトーションスプリングにおける芯材の六角孔に順次挿通させ、その後、上記軸の両端部に、背凭れを支持する左右１対の背凭れ支持杆の端部を固着しなければならず、その組み付け作業、特に六角形の軸を、各ゴムトーションスプリングにおける芯材の六角孔に向きを合わせて順次挿通させる作業が繁雑で、組み立てに時間がかかるという問題がある。
【０００４】
本発明は、従来の技術が有する上記のような問題点に鑑み、背凭れを支持する背凭れ支持杆の枢軸、および背凭れ用の付勢手段等を、支基に簡単に、短時間で、しかも確実に組み付けることができるようにしたリクライニング椅子を提供することを目的としている。
【課題を解決するための手段】
【０００５】
本発明によると、上記課題は次のようにして解決される。
(１)  脚によって支持され、かつ座を支持する支基に枢支した左右方向を向く枢軸に、背凭れを支持する背凭れ支持杆における前方を向く下部の前端部を固着し、前記背凭れ支持杆を、支基に設けた付勢手段により、背凭れが起立する方向に向けて付勢したリクライニング椅子において、前記付勢手段を、前記枢軸を芯材とし、それと同心として支基に回り止めされた外筒と前記枢軸との間に弾性体を充填することにより、前記枢軸が外筒に対して中心軸線回りに回動することによって、前記弾性体が弾性変形して、前記枢軸に復帰回動力を付与するようにしたゴムトーションスプリングを有する回動付勢手段を備えるものとし、かつ前記支基を、支基本体とその下面または上面に取り付けられたカバーとからなる上下２分割構造とし、前記支基本体とカバーとの対向部に形成した凹部内に、前記回動付勢手段と、その両側方に突出する前記枢軸を支承する軸受とを収容し、前記軸受よりさらに外側方に突出する枢軸の両側部を、前記支基本体とカバーとの両側面の対向縁に設けた切欠きに挿通させる。
【０００６】
(２)  上記(１)項において、支基本体とカバーとの対向部に形成した凹部内に、回動付勢手段を遊嵌し、かつその両側方に突出する枢軸を支承する軸受を、支基本体とカバーとにより挾持する。
【０００７】
(３)  上記(１)または(２)項において、支基より外側方に突出した枢軸の両側端部に、左右１対とした背凭れ支持杆における前方を向く下部の前端部を固着する。
【０００８】
(４)  上記(１)〜(３)項のいずれかにおいて、枢軸の中央寄りに左右１対のゴムトーションスプリングを設けるとともに、それに対応する左右１対のカバーを、それと支基本体との間に各ゴムトーションスプリングとその外側方に突出する前記枢軸を支承する軸受とを収容するようにして支基本体に取り付ける。
【０００９】
(５)  上記(１)〜(４)項のいずれかにおいて、枢軸にそれと直交する方向を向く腕部を設け、この腕部の先端部と支基とに、一端に設けた操作ノブを作動位置に移動させることにより伸縮可能となり、かつ前記操作ノブを不作動位置に復帰させることにより、伸縮不能となるようにしたガススプリングの各端部を連結する。
【００１０】
(６)  上記(４)項に従属する(５)項において、腕部を枢軸のほぼ中央部に下方に向けて設け、その下端部に一端を連結したガススプリングを前上方に向け、かつ前記ガススプリングの他端を支基の前部中央に連結する。
【発明の効果】
【００１１】
本発明によると、次のような効果を奏することができる。
(１)  請求項１記載の発明によると、ゴムトーションスプリングを有する回動付勢手段と背凭れ支持杆の枢軸とそれに外嵌した軸受とを、互いに一体的に組み付けた状態で、支基本体とカバーとにより上下から挟み、カバーを支基本体に固定するだけで、それらを支基に簡単に、短時間で、しかも確実に組み付けることができる。
【００１２】
(２)  請求項２記載の発明によると、軸受を支基本体とカバーとにより挾持することにより、枢軸を安定して支持することができ、しかも、回動付勢手段は支基本体とカバーとの対向部に形成された凹部内に遊嵌されるので、外筒を支基に固定する際の取り付け誤差等により、外筒側から枢軸に余計な応力がかかるおそれがない。さらに、外筒を支基に対して回転させることも可能であるので、外筒の枢軸まわりの回り止め位置を調節する調節手段(本発明外の構成)を設けることにより、枢軸に対する初期付勢力を調節することが可能となる。
【００１３】
(３)  請求項３記載の発明によると、左右１対の背凭れ支持杆により、背凭れを安定して支持することができるとともに、左右の背凭れ支持杆を枢軸の両端に予め固着した状態で、枢軸をその中間部に装着した回動付勢手段等とともに、支基本体とカバーとの間に挟んで、支基に取り付けることもでき、組み付け作業性がよい。
【００１４】
(４)  請求項４記載の発明によると、２個のゴムトーションスプリングと、それらの共通の芯材となる枢軸とを、一体として、支基にバランスよく、簡単に、短時間で、しかも確実に組み付けることができる。
【００１５】
(５)  請求項５記載の発明によると、ガススプリングにより、背凭れを任意の傾斜角度で無段階的に停止させることができるとともに、ガススプリングの操作ノブを作動位置としたときは、ガススプリングの付勢力により、回動付勢手段の付勢力を助勢することができるので、回動付勢手段を付勢力の小さい小型のものとすることができる。
【００１６】
(６)  請求項６記載の発明によると、ガススプリングを連結する腕部を、枢軸のほぼ中央に設け、その両側方に左右１対のゴムトーションスプリングを配設したので、枢軸に対する付勢力のバランスがよく、しかも外観上のバランスもよい。
【発明を実施するための最良の形態】
【００１７】
以下、本発明の一実施形態を、添付図面を参照して説明する。
図１〜図３に示すように、このリクライニング椅子は、先端部にキャスタ(１)が設けられた放射状をなす５本の脚杆(２)を有する脚体(３)を備えている。脚体(３)の中央には、ガススプリング(４)を備える伸縮式の脚柱(５)が立設されており、脚柱(５)の上端には、支基(６)の後部が固着されている。
【００１８】
支基(６)は、前上方に向かって延出する前半部の上面が開口する平面視菱形のほぼ中空箱状の支基本体(6a)を有し、その前半部の上面の開口部は、着脱可能な上部カバー(７)により覆われている。支基本体(6a)の前部両側面には、左右両側方に向かって斜め上方に延出するとともに、先端部上面が支基本体(6a)より上方に位置するようにした左右１対の腕部(6b)(6b)が一体的に形成されている。
【００１９】
支基本体(6a)の前後方向のほぼ中央には、両端部に角軸部(8a)(8a)を有する左右方向を向く枢軸(８)が貫通しており、支基本体(6a)より両側方に突出する枢軸(８)の両端部の角軸部(8a)(8a)には、背凭れ(９)を支持する左右１対の背凭れ支持杆(10)(10)における前方を向く下部の前端部に形成された左右方向を向く筒部(10a)(10a)が固嵌され、枢軸(８)と背凭れ支持杆(10)(10)と背凭れ(９)とは、枢軸(８)の軸線を中心として、互いに一体となって支基(６)に対して回動しうるようになっている。
【００２０】
支基(６)には、枢軸(８)および背凭れ支持杆(10)(10)を介して、背凭れ(９)を起立する方向に付勢する付勢手段(Ａ)が設けられている。
図３に示すように、付勢手段(Ａ)は、枢軸(８)を、図２における反時計回り方向に付勢する２個のゴムトーションスプリング(11)(11)からなる回動付勢手段(Ｂ)、およびその付勢力調節手段(Ｃ)(図７および図１１参照)、並びにガススプリング(12)を含むガススプリングユニット(Ｄ)を備えている。
この付勢手段(Ａ)については後に詳細に説明することとし、先に、リクライニング椅子全体の概略構成について簡単に説明する。
【００２１】
左右のゴムトーションスプリング(11)(11)の下面は、支基本体(6a)の下面に着脱可能に設けられた左右１対の下部カバー(13)(13)により覆われている。
【００２２】
図３〜図６に示すように、左右の背凭れ支持杆(10)(10)における枢軸(８)より若干後方の部分には、短寸の起立腕(10b)(10b)が上向き突設されており、各起立腕(10b)の上端部には、座(14)の両側部を支持する前後方向を向く左右１対の座受けフレーム(15)(15)の後端部が、左右方向を向く軸(16)をもって、それぞれ連結されている。
【００２３】
各座受けフレーム(15)の前部は、上面が開口する箱状をなして下方に延出し、その下端面が後下方に向かって傾斜する傾斜面(17)をなし、かつその傾斜面(17)の後端に連続して、後上方を向く起立壁(18)が形成されている。
各傾斜面(17)は、支基(６)における腕部(6b)の先端部上面に形成された後下方に向かって傾斜する傾斜受け面(19)に前後方向に摺動自在に載置されている。
【００２４】
支基(６)における腕部(6b)の先端部と、座受けフレーム(15)の前部との間には、傾斜面(17)が傾斜受け面(19)から上方に離脱するのを阻止する外れ止め手段(20)が設けられている。
この例では、外れ止め手段(20)は、傾斜面(17)に設けた前後方向を向く長孔(21)と、傾斜受け面(19)に突設され、かつ長孔(21)に摺動自在に嵌合されるとともに、長孔(21)の幅より大きい拡大頭部(22a)を有する有頭軸(22)とを備えるものとしてあるが、長孔(21)を傾斜受け面(19)に設け、かつ有頭軸(22)を傾斜面(17)に設けて実施してもよい。また、図示の例では、有頭軸(22)の軸部に相当する部分を、前後方向を向く垂直板状としてあるが、これを円形軸としてもよい。
【００２５】
長孔(21)は、傾斜面(17)の前端近傍から後方に延び、後端が起立壁(18)より後方に開口している。起立壁(18)には、長孔(21)と連通し、かつ傾斜受け面に(19)突設した有頭軸(22)の拡大頭部(22a)が通過可能の開口(23)が設けられている。
【００２６】
したがって、開口(23)より有頭軸(22)を導入させつつ、傾斜面(17)を傾斜受け面(19)に沿って後方に摺動させ、かつ各座受けフレーム(15)の後端部を、軸(16)をもって各背凭れ支持杆(10)に連結することにより、各座受けフレーム(15)を簡単かつ迅速に、支基(６)および背凭れ支持杆(10)に組み付けることができる。
【００２７】
組み付け後には、背凭れ(９)が起立状態から後傾させられるのに連動して、各座受けフレーム(15)およびそれによって支持された座(14)は、図４に示す状態から、図５に示すように、傾斜面(17)が傾斜受け面(19)に沿って摺動しつつ、後下方に向かって移動させられる。
【００２８】
このときの背凭れ(９)と座(14)の動きにより、着座者の背と大腿部との間、および大腿部と下腿部との間の角度が自然に広がり、かつ下腿部が、接床した足の踝を中心として、緩やかに後傾し、着座者に無理のない快適な移動感をもたらすことができる。
また、背凭れ(９)を後傾状態から起立状態に移動させた際には、座(14)は上記と逆に移動し、このときにも、着座者に無理のない快適な移動感を与えることができる。
【００２９】
なお、傾斜面(17)と傾斜受け面(19)とを、側方から見て完全な直線とすると、背凭れ(９)の後傾に連動して、座(14)が後下方に移動する際に、面接触から線接触に変わることがあるが、それらが常に広い範囲で面接触するように、傾斜面(17)と傾斜受け面(19)とを、緩やかな曲面とすることが望ましい。
【００３０】
座(14)は、平面視ほぼ方形枠状の座フレーム(14a)に、例えば伸縮性繊維を用いたメッシュ地、平織り地等の布地、または合成樹脂製フィルム等からなる伸縮性を有するシート材(14b)を張設して形成したものよりなり、着座者が着座したとき、シート材(14b)が伸長して、座面中央部が着座者の臀部に沿って下方に凹入し、シート材(14b)の中央部が沈み込むことにより、着座者に快適な着座感を付与することができるようになっている。
【００３１】
着座時に、このような座(14)の中央部が沈み込むことができるようにするため、左右１対の腕部(6b)(6b)の先端部上面と両背凭れ支持杆(10)(10)における起立腕(10b)(10b)とにより座フレーム(14a)のほぼ四隅を、支基(６)より高く持ち上げて支持し、もって、座(14)の中央部下面と支基本体(6a)の上面との間に、座(14)の下面中央部が下方に撓むことができる空所(24)を形成してある。
【００３２】
背凭れ(９)も、座(14)に合わせて、正面視ほぼ方形枠状の背凭れフレーム(9a)に、上記シート材(14b)と同様の材質の伸縮性を有するシート材(9b)を張設して形成されている。
【００３３】
座(14)は、左右１対の座受けフレーム(15)(15)に、前後位置調節可能として装着されているが、そのための具体的な構成は、本発明に直接関係しないので、その詳細な図示および説明は省略する。
なお、座(14)の前後位置調節を行わないものにおいては、座(14)の後部を、軸(16)をもって直接左右の背凭れ支持杆(10)(10)における起立腕(10b)(10b)の上部に連結し、かつ座(14)の前部下面を、直接左右の腕部(6b)(6b)の先端部上面に前後方向に摺動可能として装着してもよい。
【００３４】
各背凭れ支持杆(10)には、肘掛け(25)が設けられているが、これも本発明に直接関係しないので、その詳細な図示および説明は省略する。
【００３５】
次に、図３および図７〜図１１を参照して、付勢手段(Ａ)の詳細について説明する。
図７に示すように、付勢手段(Ａ)は、支基(６)の下部に設けられた２個のゴムトーションスプリング(11)(11)からなる回動付勢手段(Ｂ)、および支基(６)の上部に設けられた付勢力調節手段(Ｃ)、並びにガススプリング(12)を含むガススプリングユニット(Ｄ)を備えている。
【００３６】
図８および図９に示すように、枢軸(８)の中央部には、それと直交するようにほぼ下方を向く腕部(26)が設けられており、その両側方には、ゴムトーションスプリング(11)(11)が配設されている。
各ゴムトーションスプリング(11)は、枢軸(８)を芯材とし、かつ枢軸(８)と同心をなすようにして支基(６)に回り止めされた外筒(27)と、この外筒(27)と枢軸(８)との間に充填され、かつ枢軸(８)が外筒(27)に対して中心軸線回りに回動することにより、弾性変形して、枢軸(８)に復帰回動力を付与するようにしたゴム等の弾性体(28)とを備えている。
【００３７】
各ゴムトーションスプリング(11)より外側方に突出する枢軸(８)の両側部には、上面中央に位置決め用の突起(29a)が設けられた軸受(29)(29)が外嵌されている。
【００３８】
支基本体(6a)の下部中央には、左右方向を向きかつ下面が開口する半円筒部(6c)が支基本体(6a)の一部として形成されており、その下面両側部には、左右方向を向きかつ上面が開口する半円筒状をなす左右１対の下部カバー(13)(13)が、止めねじ(30)(30)をもって取り付けられている(図１０参照)。
【００３９】
枢軸(８)とそれに外嵌された左右１対ずつのゴムトーションスプリング(11)(11)およびその外側の軸受(29)(29)は、左右のゴムトーションスプリング(11)(11)が、半円筒部(6b)と下部カバー(13)(13)との対向部に形成された凹部(31)(32)内に遊嵌され、その外側の軸受(29)(29)が半円筒部(6b)と下部カバー(13)(13)とにより挾持され(図１０参照)、軸受(29)(29)よりさらに外側方に突出する枢軸(８)の両側部が、半円筒部(6b)と下部カバー(13)(13)との両側面の対向縁に設けた半円状の切欠き(33)(34)を挿通するようにして(図９参照)、支基(６)の半円筒部(6b)と下部カバー(13)(13)との間に収容されている。
【００４０】
左右の下部カバー(13)(13)の間を通って垂下する腕部(26)の下端部には、前上方を向くガススプリング(12)の後下端部が、左右方向を向く軸(35)をもって連結されている。
ガススプリング(12)の前上端部は、ヘッドカバー(36)および左右方向を向く軸(37)をもって、支基本体(6a)の前端中央部に連結されている。
ガススプリング(12)は、その前端部に設けた操作ノブ(38)を作動位置に押動すると、内部のガス圧および内蔵した補助ばねの付勢力により、伸長するように付勢されつつ、伸縮が可能となり、また操作ノブ(38)を不作動位置に復帰させると、伸縮が不能となるようにした公知のものである。
【００４１】
ヘッドカバー(36)内には、右方の背凭れ支持杆(10)の起立腕(10b)の中間部に枢着した外側方を向く操作レバー(39)に、可撓性のアウターチューブ(40)内を挿通するワイヤ(41)を介して連結された作動レバー(42)が設けられており、操作レバー(39)を外上方に引き上げることにより、作動レバー(42)が操作ノブ(38)を作動位置に押動し、操作レバー(39)から手を離すと、操作ノブ(38)の不作動位置への復帰力により、作動レバー(42)および操作レバー(39)が、元の不作動位置へ復帰させられるようになっている。なお、操作レバー(39)に、不作動位置への復帰回動用のばね(図示略)を設けてもよい。アウターチューブ(40)は、その一端が背凭れ支持杆(10)の起立腕(10b)の内面に、また他端がヘッドカバー(36)にそれぞれ止着され、その中を挿通するワイヤ(41)が軸線方向に円滑に移動するようにしている。
【００４２】
ガススプリング(12)と、腕部(26)、軸(35)(37)、ヘッドカバー(36)等とにより、ガススプリングユニット(Ｄ)が形成されている。このガススプリングユニット(Ｄ)は、操作ノブ(38)が作動位置に位置しているときは、回動付勢手段(Ｂ)の付勢力を助勢する作用をし、また操作ノブ(38)を不作動位置とすることにより、背凭れ(９)を任意の傾斜角度で無段階的に停止させることができる。
【００４３】
図１１に示すように、回動付勢手段(Ｂ)の初期付勢力を調節する付勢力調節手段(Ｃ)は、支基本体(6a)の上部ほぼ中央に回転自在に枢支され、中央に近い左右両側部に順ねじ部(43)と逆ねじ部(44)とを有し、かつ支基本体(6a)から外側方に突出した、この例では左方の端部に操作ハンドル(45)が設けられた左右方向を向く操作軸(46)と、順ねじ部(43)と逆ねじ部(44)とに螺合する雌ねじ孔(47)(48)を有する左右１対の移動駒(49)(50)と、後端部(基端部)が、左右のゴムトーションスプリング(11)(11)の外筒(27)(27)の外周部同士を連結する左右方向を向く軸(51)に連結された前方を向く連結杆(52)と、後端部が各移動駒(49)(50)に上下方向を向く軸(53)をもって連結され、かつ前端部が連結杆(52)の前端部(先端部)に連結され、操作軸(46)の回転に連動して、互いに平面視ハ字状をなして、開閉することにより、連結杆(52)を前後方向に移動させて、左右の外筒(27)(27)をその中心軸線回りに回動させるようにした１対のリンク(54)(55)とを備えている。
【００４４】
この例では、連結杆(52)の前端部を、支基本体(6a)に前後方向に摺動可能として支持させ、かつ連結杆(52)における前方を向く基片(52a)の前端部に、側面視後向コ字状をなす側方突出部(52b)を設け、この側方突出部(52b)と基片(52a)との内隅部に、各リンク(54)(55)の前端を、垂直軸線まわりに回動可能として単に当接させるだけとしてある。
このような構成としても、ゴムトーションスプリング(11)(11)の付勢力が、連結杆(52)を常時後方に引くように作用しており、しかも平面視ハ字状をなす左右１対のリンク(54)(55)の前端同士は、それらの後端同士より常に内方に位置するようにしてあるので、左右のリンク(54)(55)の前端が側方突出部(52b)と基片(52a)との内隅部から外側方に外れることはない。
【００４５】
しかし、各リンク(54)(55)の前端部を、各リンク(54)(55)の後端部を各移動駒(49)(50)に連結する上下方向を向く軸(53)と平行の軸(図示略)をもって、連結杆(52)の先端部に枢着してもよい。
【００４６】
かくして、操作ハンドル(45)により操作軸(46)を回転させると、１対の移動駒(49)(50)が互いに遠近移動し、それに伴ってハ字状をなす１対のリンク(54)(55)が互いに開閉して、連結杆(52)が後方および前方に移動させられ、それによって外筒(27)(27)が枢軸まわりに回動させられ、回動付勢手段(Ｂ)の所期付勢力、それに伴って背凭れ(９)の付勢力全体の強さが弱められたり、強められたりする。
【００４７】
このときの操作ハンドル(45)の操作は、着座者が、着座姿勢のまま、座(14)の右側部下方に手を伸ばすことによって簡単に行うことができる。
また、この例では、１対の移動駒(49)(50)が互いに近づき、かつハ字状をなす１対のリンク(54)(55)が互いに閉じる方向に移動することにより、回動付勢手段(Ｂ)の付勢力が強まるように設定してあるので、操作軸(46)の１回転当たりの連結杆(52)の前方への移動量が漸次減少し、背凭れの所期付勢力が大となっても、操作軸の回転抵抗は増大することがなく、操作ハンドルを常時軽力で操作することができる。
【００４８】
左方の背凭れ支持杆(10)の起立腕(10b)の中間部には、右方の背凭れ支持杆(10)の起立腕(10b)の中間部に設けた操作レバー(39)と同様の操作レバー(56)が、前後方向を向く軸線回りに回動可能として装着されている。
この操作レバー(56)は、可撓性のアウターチューブ(57)内を挿通するワイヤ(58)を介して、支基(６)の後部に設けた脚柱(５)のガススプリング(４)操作用の作動レバー(図示略)に連結され、操作レバー(56)を外上方に回動させることにより、ガススプリング(４)の操作ノブ(図示略)を作動位置まで押動して、脚柱(５)を自由に伸縮できるようにし、また操作レバー(56)を内下方に復帰回動させることにより、ガススプリング(４)の操作ノブ(図示略)を不作動位置まで復帰させて、脚柱(５)をそのときの伸縮状態で無段階的に停止させることができるようになっている。
【００４９】
以上から明らかなように、この実施形態によると、ゴムトーションスプリング(11)を有する回動付勢手段(Ｂ)と背凭れ支持杆(10)の枢軸(８)とそれに外嵌した軸受(29)とを、互いに一体的に組み付けた状態で、支基本体(6a)と下部カバー(13)とにより上下から挟み、下部カバー(13)を支基本体(6a)に固定するだけで、それらを支基(６)に簡単に、短時間で、しかも確実に組み付けることができる。
【００５０】
なお、本発明においては、本発明の範囲を逸脱しない範囲で、幾多の異なる形態での実施が可能である。
例えば、支基(６)を、支基本体(6a)とその上面に取り付けられたカバー(図示略)とからなる上下２分割構造とし、その支基本体(6a)とカバーとの対向部に形成した凹部内に、回動付勢手段(Ｂ)と、その両側方に突出する枢軸(８)を支承する軸受(27)(27)とを収容し、この軸受(27)(27)よりさらに外側方に突出する枢軸(８)の両側部を、支基本体(6a)とカバーとの両側面の対向縁に設けた切欠き(図示略)に挿通させてもよい。
また、回動付勢手段(Ｂ)を、枢軸(８)と一体とした単一のゴムトーションスプリングを有するものとしたり、または一本の枢軸(８)を共通の芯材とした３個以上のゴムトーションスプリングを有するものとしたりすることができる。
さらに、枢軸(８)全体の断面形状を、正六角形その他の非円形としてもよい。
【図面の簡単な説明】
【００５１】
【図１】本発明の一実施形態である椅子の正面図である。
【図２】同じく、側面図である。
【図３】同じく、主要部材の分解斜視図である。
【図４】同じく、背凭れを起立位置としたときの要部の拡大側面図である。
【図５】同じく、背凭れを後傾させたときの要部の拡大側面図である。
【図６】同じく、図４のＶI−ＶI線に沿う部分平面図である。
【図７】同じく、背凭れの傾動装置の分解斜視図である。
【図８】同じく、支基の中央縦断側面図である。
【図９】同じく、図８のIX−IX線に沿う縦断正面図である。
【図１０】同じく、図９のＸ−Ｘ線に沿う縦断側面図である。
【図１１】同じく、図８のXI−XI線に沿う横断平面図である。
【符号の説明】
【００５２】
(Ａ)付勢手段
(Ｂ)回動付勢手段
(Ｃ)付勢力調節手段
(Ｄ)ガススプリングユニット
(１)キャスタ
(２)脚杆
(３)脚体
(４)ガススプリング
(５)脚柱
(６)支基
(6a)支基本体
(6b)腕部
(6c)半円筒部
(７)上部カバー
(８)枢軸(芯材)
(8a)角軸部
(９)背凭れ
(9a)背凭れフレーム
(9b)シート材
(10)背凭れ支持杆
(10a)筒部
(10b)起立腕
(11)ゴムトーションスプリング
(12)ガススプリング
(13)下部カバー
(14)座
(14a)座フレーム
(14b)シート材
(15)座受けフレーム
(16)軸
(17)傾斜面
(18)起立壁
(19)傾斜受け面
(20)外れ止め手段
(21)長孔
(22)有頭軸
(22a)拡大頭部
(23)開口
(24)空所
(25)肘掛け
(26)腕部
(27)外筒
(28)弾性体
(29)軸受
(29a)突起
(30)止めねじ
(31)(32)凹部
(33)(34)切欠き
(35)軸
(36)ヘッドカバー
(37)軸
(38)操作ノブ
(39)操作レバー
(40)アウターチューブ
(41)ワイヤ
(42)作動レバー
(43)順ねじ部
(44)逆ねじ部
(45)操作ハンドル
(46)操作軸
(47)(48)雌ねじ孔
(49)(50)移動駒
(51)軸
(52)連結杆
(52a)基片
(52b)側方突出部
(53)軸
(54)(55)リンク
(56)操作レバー
(57)アウターチューブ
(58)ワイヤ
【図１】
2006087617.tif 000003
【図２】
2006087617.tif 000004
【図３】
2006087617.tif 000005
【図４】
2006087617.tif 000006
【図５】
2006087617.tif 000007
【図６】
2006087617.tif 000008
【図７】
2006087617.tif 000009
【図８】
2006087617.tif 000010
【図９】
2006087617.tif 000011
【図１０】
2006087617.tif 000012
【図１１】
2006087617.tif 000013